(57)【要約】【課題】素材の違いや指先の状態にかかわらず、チャックを閉じる際の指先をチャック背面に沿ってスムーズに案内することができ、チャックを容易かつ確実に閉じることができるチャック付き袋体を提供する。【解決手段】チャック付き袋体１は、一対の側面シート２，２と該側面シート２，２を繋ぐ底面部２ａとが一体に形成され、側面シート２，２の内側面に雌雄爪型のチャック３が設けられる。一対の側面シート２，２のチャック背面部となる外側面に、チャック３に対して平行な複数のリブ条４から成る凹凸形状部５が設けられる。各リブ条４は、各リブ条４の高さ寸法を幅寸法の１／２以下、幅寸法をピッチの１／５〜１／１０の範囲とし、且つ、各リブ条４の幅寸法及び高さ寸法を０．１ｍｍ以下、ピッチを１ｍｍ以下に形成する。【選択図】図１
0003153727.tif 000002
【実用新案登録請求の範囲】
【請求項１】
開口部近傍の内側面に雌雄爪型のチャックを備えた合成樹脂製のチャック付き袋体において、少なくともチャック背面部となる外側面に、チャックに対して平行な複数のリブ条から成る凹凸形状部を設けたことを特徴とするチャック付き袋体。
【請求項２】
前記凹凸形状部を、チャックに対応する外側面と、開口部近傍の外側面とにそれぞれ設けたことを特徴とする請求項１記載のチャック付き袋体。
【請求項３】
前記チャックに対応する外側面に形成する凹凸形状部は、袋体上下方向の長さ寸法を５〜１０ｍｍとすると共に、前記チャックを中心にして上下に形成することを特徴とする請求項１又は２記載のチャック付き袋体。
【請求項４】
前記凹凸形状部を、外側面の全面に設けたことを特徴とする請求項１記載のチャック付き袋体。
【請求項５】
前記リブ条は、各リブ条の高さ寸法を幅寸法の１／２以下、幅寸法をピッチの１／５〜１／１０の範囲とし、且つ、各リブ条の幅寸法及び高さ寸法を０．１ｍｍ以下、ピッチを１ｍｍ以下としたことを特徴とする請求項１乃至４のいずれか１項に記載のチャック付き袋体。
【請求項６】
前記各リブ条は、断面形状が上向きの三角形状にそれぞれ形成されていることを特徴とする請求項１乃至５のいずれか１項に記載のチャック付き袋体。
【考案の詳細な説明】
【技術分野】
【０００１】
本考案は、合成樹脂製のチャック付き袋体に関する。
【背景技術】
【０００２】
合成樹脂製のチャック付き袋体として、開口部近傍の内側面に雌雄爪型のチャックを備えたものが広く用いられている。このようなチャック付き袋体において、袋を開く際の開き易さを向上させるため、チャックに対応する外側面に摩擦係数の大きい非滑性面を設けたり、チャック上方の開口摘み部にチャックと平行な複数の凹凸条を形成したりすることが行われており（例えば、特許文献１，２参照。）、また、チャックと平行な複数の凹凸条を全体に形成することによって袋体の強度を向上させることも提案されている（例えば、特許文献３参照。）。さらに、チャック背面に剛性の高いテープを接着することにより、チャックを閉じ易くする提案もなされている（例えば、特許文献４参照。）。
【先行技術文献】
【特許文献】
【０００３】
【特許文献１】特開平６−２８６７５９号公報
【特許文献２】実開平２−１０７３２６号公報
【特許文献３】実開平１−１３７８４６号公報
【特許文献４】特開平４−１５４５５８号公報
【考案の概要】
【考案が解決しようとする課題】
【０００４】
しかし、特許文献１，２に記載されたものでは、開き易さは向上するものの、閉じ易さについては考慮されておらず、特許文献３に記載されたものでは、凹凸条が袋内面に設けられていてもよいとの記載から、開き易さや閉じ易さについてはまったく考慮していない。また、特許文献４に記載されたものは、チャックを閉じる際の指先の痛みを解消することはできるが、指先が接触する面が平滑面であるため、袋体を形成する素材、特に、チャックを閉じる際に指先を滑らせるチャック背面部分の素材の種類や指先の状態によっては、チャックが閉じ難くなることがあった。なお、特許文献１では、非滑性面が形成されていない滑性面を指先で摘むことで非滑性面による閉じ難さを解消するようにしているが、滑性面（平滑面）であることから、前記同様に、チャックが閉じ難くなることがある。
【０００５】
例えば、チャック背面部分の素材によって摩擦抵抗に違いが生じ、さらに、水で濡れた指、発汗した指、乾いた指、大きい指、小さい指、指先の力、手袋の装着といった指先の状態の様々な要因により、チャックを閉じる際の閉じ易さ、閉じ難さが生じる。
【０００６】
そこで本考案は、素材の違いや指先の状態にかかわらず、チャックを閉じる際の指先をチャック背面に沿ってスムーズに案内することができ、チャックを容易かつ確実に閉じることができるチャック付き袋体を提供することを目的としている。
【課題を解決するための手段】
【０００７】
上記の目的を達成するため本考案は、開口部近傍の内側面に雌雄爪型のチャックを備えた合成樹脂製のチャック付き袋体において、少なくともチャック背面部となる外側面に、チャックに対して平行な複数のリブ条から成る凹凸形状部を設けたことを特徴としている。
【０００８】
また、前記凹凸形状部は、チャックに対応する外側面と、開口部近傍の外側面とにそれぞれ設けても良く、前記チャックに対応する外側面に形成する凹凸形状部は、袋体上下方向の長さ寸法を５〜１０ｍｍとすると共に、前記チャックを中心にして上下に形成すると好適である。さらに、前記凹凸形状部を、外側面の全面に設けても良い。また、前記リブ条は、各リブ条の高さ寸法を幅寸法の１／２以下、幅寸法をピッチの１／５〜１／１０の範囲とし、且つ、各リブ条の幅寸法及び高さ寸法を０．１ｍｍ以下、ピッチを１ｍｍ以下とすると好適である。さらに、前記各リブ条は、断面形状を上向きの三角形状にそれぞれ形成することもできる。
【考案の効果】
【０００９】
本考案のチャック付き袋体では、チャック背面部となる外側面に、チャックに対して平行な複数のリブ条から成る凹凸形状部を設けたことにより、チャックを閉じる際に、指先をリブ条に沿って滑らせるように移動させれば良いことから、指先がチャックの位置から外れることがなく、子供や老人等のように非力な人であっても、チャックを容易かつ確実に閉じることができる。また、チャックを開く際には、指先が凹凸形状部のリブ条に対して略直交方向に当たり、指先が滑り止めされた状態となることから、チャックを開くのも容易である。
【００１０】
さらに、凹凸形状部における袋体上下方向の寸法を５〜１０ｍｍとし、この凹凸形状部をチャックを中心にして上下に形成することにより、チャックに対応した凹凸形状部を指先で良好に捉えることができ、暗い場所でチャックを閉じる際にも、チャックの位置を凹凸形状部によって認識することができるので、チャックを確実に閉じることができる。
【００１１】
また、前記凹凸形状部を、チャックに対応する外側面と、開口部近傍の外側面とに設けることにより、チャックを開く際に、開口部近傍に設けた凹凸形状部も滑り止めとなるので、チャックをより容易に開くことができる。
【００１２】
さらに、前記凹凸形状部を外側面の全面に設けることにより、袋体の風合いを梨地風にすることができ、デザイン性の向上を図ることができる。また、外側面の全面に滑り止め効果を持たせることができることから、袋体の使用形態を広げることができ、例えば調理用や保存用の備品としても用途を広げることができる。さらに、チャック付き袋体を積み重ねた時に、積み重ねられた上下の袋体の凹凸形状部同士が当接することで荷崩れすることがなく、輸送性や保存性を向上させることができる。また、凹凸形状部同士が上下に重なることで接触面積が小さくなるので、静電気が発生したとしても、重ねたチャック付き袋体を１枚ずつ確実に取り出すことができる。さらに、チャック付き袋体に内容物を入れた商品の輸送や保存、店頭での陳列の際にも荷崩れの虞がなく、それぞれの作業に掛かる手間や時間を短縮させることができる。
【００１３】
特に、各リブ条の高さ寸法を幅寸法の１／２以下、幅寸法をピッチの１／５〜１／１０の範囲とし、リブ条の幅寸法を０．１ｍｍ以下、例えば０．０８ｍｍ、高さ寸法も０．１ｍｍ以下、例えば０．０４ｍｍとし、ピッチを１ｍｍ以下、例えば０．６ｍｍとすることにより、凹凸形状部を触った時のフィーリングが良く、また、デザイン性も向上する。さらに、このような微小なリブ条とすることにより、表面への印刷も可能となり、リブ条間への汚れの付着も少なく、汚れた場合でも清掃が容易である。
【００１４】
さらに、前記各リブ条の断面形状を、上向きの三角形状にそれぞれ形成することにより、リブ条により指先の袋体上方への移動は案内され、袋体下方への移動には抵抗を感じさせることから、袋体内部の空気抜きを容易に行えるようにできたり、袋体底部の内容物を取り出し易くしたりすることができる。
【図面の簡単な説明】
【００１５】
【図１】本考案の第１形態例を示すチャック付き袋体の正面図である。
【図２】図１のII-II断面図である。
【図３】同じくチャック付き袋体の要部拡大断面図である。
【図４】本考案の第２形態例を示すチャック付き袋体の正面図である。
【図５】図４のV-V断面図である。
【図６】本考案の第３形態例を示すチャック付き袋体の正面図である。
【図７】図６のVII-VII断面図である。
【図８】本考案の第４形態例を示すチャック付き袋体の正面図である。
【図９】図８のIX-IX断面図である。
【図１０】本考案の他の形態例を示すチャック付き袋体の要部拡大断面図である。
【考案を実施するための形態】
【００１６】
図１乃至図３は本考案の第１形態例を示すもので、本形態例のチャック付き袋体１は、一対の側面シート２，２と該側面シート２，２を繋ぐ底面部２ａとが一体に形成され、側面シート２，２の内側面には雌雄爪型のチャック３が設けられている。また、一対の側面シート２，２のチャック背面部となる外側面に、チャック３に対して平行な複数のリブ条４から成る凹凸形状部５が設けられている。
【００１７】
各リブ条４は、幅寸法Ｌ１を０．０８ｍｍ、高さ寸法Ｌ２を０．０４ｍｍに形成すると共に、ピッチＬ３を０．６ｍｍに形成し、凹凸形状部５は、チャック３を中心として、袋体上下方向の長さ寸法Ｌ４を５〜１０ｍｍに形成している。
【００１８】
このようなチャック付き袋体１は、例えば、側面シート２，２及び底面部２ａの成形部と、チャック３の成形部と、凹凸形状部５の成形部を有する円筒状のダイスから合成樹脂を押し出し、側面シート２，２及び底面部２ａと、チャック３と、複数のリブ条４を備えた凹凸形状部５とを一体に備えた原反シートを成形し、該原反シートを製袋機でサイドシール及びカットすることで連続的に形成することができる。
【００１９】
上述のように形成されたチャック付き袋体１は、チャック背面部となる外側面に、チャック３に対して平行な複数のリブ条４から成る凹凸形状部５を設けたことにより、チャック３を閉じる際に、指先をリブ条４に沿って滑らせるように移動させれば良いことから、指先がチャック３の位置から外れることがなく、子供や老人等のように非力な人であっても、また、水で濡れた指、発汗した指、乾いた指、大きい指、小さい指、手袋の装着といった様々な指先の状態に拘わらず、チャック３を容易かつ確実に閉じることができる。一方、チャック３を開く際には、指先が凹凸形状部５のリブ条４に対して略直交方向に当たり、指先が滑り止めされた状態となることから、チャックを容易に開くことができる。
【００２０】
さらに、凹凸形状部５における袋体上下方向の寸法を５〜１０ｍｍとし、この凹凸形状部５をチャック３を中心にして上下に形成することにより、チャック３に対応した凹凸形状部５を指先で良好に捉えることができ、暗い場所でチャックを閉じる際にも、チャックの位置を凹凸形状部によって認識することができるので、チャックを確実に閉じることができる。
【００２１】
また、各リブ条４は、幅寸法Ｌ１を０．０８ｍｍ、高さ寸法Ｌ２を０．０４ｍｍとし、ピッチＬ３を０．６ｍｍとすることにより、凹凸形状部５を触った際のフィーリングが良く、また、デザイン性も向上する。さらに、このような微小なリブ条４とすることにより、表面への印刷も可能となり、リブ条４間への汚れの付着も少なく、また、汚れた場合でも清掃が容易である。
【００２２】
図４乃至図１０は、本考案の他の形態例を示すもので、第１形態例と同様の構成要素を示すものには、同一の符号を付して、その詳細な説明は省略する。
【００２３】
図４及び図５は、本考案の第２形態例を示すもので、本形態例のチャック付き袋体１１は、凹凸形状部１２を、チャック３に対応する外側面と、開口部近傍の外側面とにそれぞれ設けている。これにより、チャック３を開く際に、チャック３に対応する外側面に設けた凹凸形状部１２により指先が滑り止めされるとともに、開口部近傍に設けた凹凸形状部１２により開口部１３を確実に掴むことができることから、チャック３を良好に開くことができる。
【００２４】
図６及び図７は、本考案の第３形態例を示すもので、本形態例のチャック付き袋体２１は、凹凸形状部２２を、チャック３に対応する外側面と、これよりも袋底部側の外側面とに一連に設けている。
【００２５】
これにより、チャック付き袋体２１の外側面は、チャック３に対応する部分よりも下方が梨地風の風合いとなりデザイン性の向上を図ることができる。また、内容物を収容する部分の外側面全体に滑り止め効果を持たせることができることから、例えば調理用や保存用の備品としても用途を広げることができる。さらに、チャック付き袋体２１を積み重ねた時に、積み重ねられた上下の袋体の凹凸形状部同士が当接することで荷崩れすることがなく、輸送性や保存性を向上させることができる。また、凹凸形状部同士が上下に重なることで接触面積が小さくなるので、静電気が発生したとしても、重ねたチャック付き袋体２１を１枚ずつ確実に取り出すことができる。さらに、チャック付き袋体２１に内容物を入れた商品の輸送や保存、店頭での陳列の際にも荷崩れの虞がなく、それぞれの作業に掛かる手間や時間を短縮させることができる。
【００２６】
例えば、チャック付き袋体２１を調理用の備品として利用する場合、調味料や調理用原料を袋内に投入し、揉み込んで調理用原料に下味を付ける際に、凹凸形状部２２により、揉み込み作業を良好に行うことができ、さらに、空気抜きも確実に行うことができるようになる。また、内容物が収容されたチャック付き袋体２１を冷蔵庫や冷凍庫で保存する際に、複数のチャック付き袋体２１を積み重ねても荷崩れすることがない。さらに、チャック付き袋体２１を保存用或いは整理整頓用の備品として利用する場合、袋内の空気抜きを良好に行え、さらに、内容物を収容した状態のチャック付き袋体２１を上下に重ねることがあっても荷崩れし難いことから、内容物をコンパクトな状態で保存或いは整理整頓することができる。
【００２７】
図８及び図９は本考案の第４形態例を示すもので、本形態例のチャック付き袋体３１は、凹凸形状部３２を外側面の全面に設けている。これにより、本形態例では、上述の第３形態例の効果に加えて、開口部３３を掴みやすくなり、袋体の開閉が容易になり、例えば、袋内が空気抜きされた状態でも袋体を良好に開くことができる。
【００２８】
図１０は、リブ条の断面形状が異なる他の実施例を示すもので、図１０（Ａ）では、各リブ条４１の先端面が球面状に、図１０（Ｂ）では、各リブ条４２が直方体状に、図１０（Ｃ）では、各リブ条４３の断面形状が上向きの三角形状にそれぞれ形成されている。このように、各リブ条の形状を変えることにより、指先に与えるフィーリングが異なり、図１０（Ａ）に示すリブ条４１では、指先に柔らかな感触を残し、図１０（Ｂ），図１０（Ｃ）に示すリブ条４２，４３では、指先に硬い感触を残す。さらに、凹凸形状部の面積が大きくなれば、光の反射による印象も異なり、デザイン性も向上する。また、図１０（Ｃ）に示すリブ条４３を、上述の第２形態例や第３形態例のリブ条に適用すれば、リブ条４３が指先の袋体上方への移動は案内し、袋体下方への移動には抵抗を感じさせることから、例えば、袋体底部の内容物を取り出し易くしたり、袋体内部の空気抜きを容易に行えるようにすることができる。
【００２９】
尚、本考案のチャック付き袋体は、上述の各形態例に限るものではなく、凹凸形状部は、少なくともチャックに対応する外側面に設けてあれば良く、その他の凹凸形状部を袋体の下半部に設けたり、上半部に設けたり、中央部の一部分に設けたりしても良く、用途に応じて任意に設けることができる。また、一方の側面シートに設ける凹凸形状部の位置と、他方の側面シートに設ける凹凸形状部の位置が異なっていても良い。
【００３０】
さらに、各リブ条の寸法も上述の形態例に限るものではなく、高さ寸法が幅寸法の１／２以下、幅寸法がピッチの１／５〜１／１０の範囲であり、且つ、各リブ条の幅寸法及び高さ寸法  ０．１ｍｍ以下、ピッチが１ｍｍ以下であれば、任意である。
【００３１】
また、リブ条の形状も、断面下向きの三角形や、断面台形のものでも良く、用途に応じて任意に形成することができる。さらに、上述の形態例では、凹凸形状部を側面シートやチャックと一体に形成しているが、本考案はこれに限らず、側面シートとは別に形成した凹凸形状部のシートを、側面シートの任意の位置に貼着するようにしても良い。また、側面シートの開口部に段差を設けたり、玉縁を形成しても良く、さらには、底部にまちを備えた直立タイプの袋体にも適用することができる。
【符号の説明】
【００３２】
１，１１，２１，３１…チャック付き袋体、２…側面シート、２ａ…底面部、３…チャック、４…リブ条、５，１２，２２，３２…凹凸形状部、１３，３３…開口部、４１，４２，４３…リブ条
【図１】
0003153727.tif 000003
【図２】
0003153727.tif 000004
【図３】
0003153727.tif 000005
【図４】
0003153727.tif 000006
【図５】
0003153727.tif 000007
【図６】
0003153727.tif 000008
【図７】
0003153727.tif 000009
【図８】
0003153727.tif 000010
【図９】
0003153727.tif 000011
【図１０】
0003153727.tif 000012